(57)【要約】【課題】  端子数を低減する。【解決手段】  アドレス信号ＡＤＲは３ビットの信号であり、８個のアドレスを指定可能である。デコード回路３００は、アドレス値０〜４によって選択信号ｄ１〜ｄ５を生成する。選択信号ｄ１〜ｄ５は画素を指定する。また、アドレス値７のとき、デコード回路３００は、モード指定信号ＴＥＳＴをアクティブにする。画素を指定するのに不必要な余剰アドレスを用いて、モード指定信号ＴＥＳＴを指定する。これにより、モード指定信号ＴＥＳＴを取り込む専用端子を配置する必要がなくなり、端子数が減る。【選択図】      図２
2006039452.tif 000002
【特許請求の範囲】
【請求項１】
複数の走査線と、複数のデータ線と、前記走査線と前記データ線の交差に対応して配列された複数の画素回路を備え、２のべき乗のアドレスを指定可能なアドレス信号が供給される電気光学装置であって、
前記アドレス信号をデコードして複数のデコード信号を出力するデコード手段と、
前記複数のデコード信号の一部を用いて前記複数のデータ線の中からあるデータ線を選択し、当該データ線へ画像信号を出力するデータ線駆動手段と、
前記複数のデコード信号の他部を用いて、検査動作を実行する検査手段と、
を備えることを特徴とする電気光学装置。
【請求項２】
複数の走査線と、複数のデータ線と、前記走査線と前記データ線の交差に対応して配列された複数の画素回路を備え、２のべき乗のアドレスを指定可能なアドレス信号が供給される電気光学装置であって、
前記アドレス信号をデコードして複数のデコード信号を出力するデコード手段と、
通常モードにおいて、前記複数のデコード信号の一部を用いて、複数のデータ線の中から選択したあるデータ線に画像信号を出力し、特殊モードにおいて所定のデータ線に同一の画像信号を出力し、前記複数のデコード信号の他部を用いて前記通常モードと前記特殊モードを切り替えるデータ線駆動手段と、
を備えることを特徴とする電気光学装置。
【請求項３】
前記アドレス信号が供給される複数の入力端子と、
前記複数の入力端子の各々と接続される複数のアドレス信号供給線とを備え、
前記デコード手段は、前記複数のアドレス信号供給線を介して前記アドレス信号を入力することを特徴とする請求項２に記載の電気光学装置。
【請求項４】
前記データ線駆動手段は、特殊モードにおいて、全てのデータ線に同一の画像信号を出力することを特徴とする請求項２または３に記載の電気光学装置。
【請求項５】
前記特殊モードは、黒を表示する第１特殊モードと白を表示する第２特殊モードを含み、
前記複数のデコード信号の他部は、前記第１特殊モードと前記第２特殊モードを指定し、
前記データ線駆動手段は、前記複数のデコード信号の他部が前記第１特殊モードを指定する場合、前記全てのデータ線に黒に対応する画像信号を出力し、前記複数のデコード信号の他部が前記第２特殊モードを指定する場合、前記全てのデータ線に白に対応する画像信号を出力する
ことを特徴とする請求項４に記載の電気光学装置。
【請求項６】
前記複数の画素回路は複数色を表示可能であり、
前記データ線駆動手段は、前記特殊モードにおいて、表示可能な色ごとに同一の画像信号を所定のデータ線に出力することを特徴とする請求項２または３に記載の電気光学装置。
【請求項７】
前記複数の画素回路は、前記データ線に沿って同一色を表示するように配列されており、
前記複数のデコード信号の他部は、表示可能な色ごとに点灯・消灯を指定する複数の制御信号を含み、
前記データ線駆動回路は、前記複数のデータ線の各々に接続される複数の信号供給回路を備え、
前記複数の制御信号は、表示可能な色の系列に応じて前記複数の信号供給回路の各々に供給され、
前記複数の信号供給回路の各々は、前記特殊モードにおいて、供給される前記制御信号に基づいて、前記画素回路の点灯・消灯を制御するように画像信号を前記データ線に出力することを特徴とする請求項６に記載の電気光学装置。
【請求項８】
請求項１乃至７のうちいずれか１項に記載の電気光学装置を備えたことを特徴とする電子機器。
【発明の詳細な説明】
【技術分野】
【０００１】
本発明は、電気光学装置及び電子機器に関する。
【背景技術】
【０００２】
液晶表示装置等の電気光学装置は、複数の走査線と、複数のデータ線を備え、それらの交差に対応して複数の画素回路が配列されている。そして、複数の走査線を駆動する走査線駆動回路と、複数のデータ線を駆動するデータ線駆動回路が、基板上に形成されることが多い。
【０００３】
データ線駆動回路は、複数のデータ線の中からあるデータ線を選択し、選択したデータ線に画像信号を供給する。データ線の選択方法には各種のものがあるが、その一つとしてデコード方式がある。デコード方式では、２Ｎ（Ｎは２以上の自然数）のアドレスを指定可能なアドレス信号を電気光学装置に供給し、デコード回路を用いてアドレス信号をデコードして、指定されたデータ線に画像信号を供給する（例えば、特許文献１）。
また、走査線やデータ線の断線等を検査する検査回路を備えた電気光学装置も知られている（例えば、特許文献２）。
【０００４】
【特許文献１】特開平６−１１８９０４号公報
【特許文献２】特開平１０−９７２０３号公報
【発明の開示】
【発明が解決しようとする課題】
【０００５】
ところで、検査回路は、電気光学装置の検査工程で動作し、画像表示の動作時には動作しない。このため、電気光学装置は、検査回路を動作させる検査モードと画像表示の通常モードとを切り替えることができるように構成される。そして、検査モードと通常モードとを指定するモード信号を端子から取り込んで、モード信号に従って検査回路を動作させる。
このため、モード信号を取り込むために特別の端子が必要となり、端子数が増加する。しかしながら、端子数が増加すると、機械的強度が低下し、狭ピッチ配列を強いられた時に実装用部品の価格上昇などの弊害がある。
【０００６】
本発明は上述した問題点に鑑みてなされたものであり、検査専用端子を削減し、実装上の問題やコスト上昇を抑えた電気光学装置および電子機器を提供することを解決課題とする。
【課題を解決するための手段】
【０００７】
上述した課題を解決するため、本発明に係る電気光学装置は、複数の走査線と、複数のデータ線と、前記走査線と前記データ線の交差に対応して配列された複数の画素回路を備え、２のべき乗のアドレスを指定可能なアドレス信号が供給されるものであって、前記アドレス信号をデコードして複数のデコード信号を出力するデコード手段と、前記複数のデコード信号の一部を用いて前記複数のデータ線の中からあるデータ線を選択し、当該データ線へ画像信号を出力するデータ線駆動手段と、前記複数のデコード信号の他部を用いて、検査動作を実行する検査手段と、を備えることを特徴とする。
【０００８】
この発明によれば、アドレス信号は２のべき乗のアドレスを指定することが可能であるが、データ線の選択には、その一部が用いられる。一方、検査手段は検査工程で動作させるものであって、通常の表示動作中には停止させる必要がある。このため、検査手段の動作を指示する信号を外部から取り込む必要があるが、これを複数のデコード信号の他部を用いて実行するので、専用の入力端子を設ける必要がなくなり、入力端子数を削減できる。この結果、機械的強度が向上し、安価な実装用部品を用いることが可能となる。なお、電気光学装置とは、電気光学素子を備える表示装置を意味する。電気光学素子とは、電気的な作用により光学特性が変化する素子の意であり、例えば、液晶、有機ＥＬ発光ダイオード等が含まれる。
【０００９】
また、本発明に係る他の電気光学装置は、複数の走査線と、複数のデータ線と、前記走査線と前記データ線の交差に対応して配列された複数の画素回路を備え、２のべき乗のアドレスを指定可能なアドレス信号が供給されるものであって、前記アドレス信号をデコードして複数のデコード信号を出力するデコード手段と、通常モードにおいて、前記複数のデコード信号の一部を用いて、複数のデータ線の中から選択したあるデータ線に画像信号を出力し、特殊モードにおいて所定のデータ線に同一の画像信号を出力し、前記複数のデコード信号の他部を用いて前記通常モードと前記特殊モードを切り替えるデータ線駆動手段と、を備える。
【００１０】
この発明によれば、通常モードと特殊モードを選択的に実行可能である。そして、通常モードと特殊モードの指定は、外部から取り込む必要があるが、これを複数のデコード信号の他部を用いて実行するので、専用の入力端子を設ける必要がなくなり、入力端子数を削減できる。この結果、機械的強度が向上し、安価な実装用部品を用いることが可能となる。さらに、特殊モードにおいては、所定のデータ線に同一の画像信号を供給するから、消費電流を削減することが可能となる。
【００１１】
この電気光学装置の具体的な態様としては、前記アドレス信号が供給される複数の入力端子と、前記複数の入力端子の各々と接続される複数のアドレス信号供給線とを備え、前記デコード手段は、前記複数のアドレス信号供給線を介して前記アドレス信号を入力することが好ましい。この場合、アドレス信号供給線には浮遊容量が付随するため、信号線の電位を変化させるには、容量性の重い負荷を駆動する必要がある。この発明によれば、特殊モードでは、各データ線を指定する必要がないので、アドレス信号供給線の駆動に要する電流を大幅に削減することができる。
【００１２】
ここで、前記データ線駆動手段は、特殊モードにおいて、全てのデータ線に同一の画像信号を出力することが好ましい。さらに、前記特殊モードは、黒を表示する第１特殊モードと白を表示する第２特殊モードを含み、前記複数のデコード信号の他部は、前記第１特殊モードと前記第２特殊モードを指定し、前記データ線駆動手段は、前記複数のデコード信号の他部が前記第１特殊モードを指定する場合、前記全てのデータ線に黒に対応する画像信号を出力し、前記複数のデコード信号の他部が前記第２特殊モードを指定する場合、前記全てのデータ線に白に対応する画像信号を出力することが好ましい。
簡易的な文字表示の多くは、白の背景に黒の文字を表示したり、黒の背景に白の文字を表示するものである。このような場合、１行全体が黒または白を表示させることがある。本発明によれば、１行に白または黒を表示させる第１・第２特殊モードを備えるので、消費電流を大幅に削減することが可能となる。
【００１３】
また、上述した電気光学装置において、前記複数の画素回路は複数色を表示可能であり、前記データ線駆動手段は、前記特殊モードにおいて、表示可能な色ごとに同一の画像信号を所定のデータ線に出力することが好ましい。この場合には、表示可能な色ごとに同一の画像信号を出力するので、カラー表示において消費電力を削減することができる。
【００１４】
くわえて、前記複数の画素回路は、前記データ線に沿って同一色を表示するように配列されており、前記複数のデコード信号の他部は、表示可能な色ごとに点灯・消灯を指定する複数の制御信号を含み、前記データ線駆動回路は、前記複数のデータ線の各々に接続される複数の信号供給回路を備え、前記複数の制御信号は、表示可能な色の系列に応じて前記複数の信号供給回路の各々に供給され、前記複数の信号供給回路の各々は、前記特殊モードにおいて、供給される前記制御信号に基づいて、前記画素回路の点灯・消灯を制御するように画像信号を前記データ線に出力することが好ましい。この発明によれば、各行において表示可能な色ごとに点灯・消灯を制御することができ、しかも複数の制御信号を余剰なアドレスを利用して電気光学装置に供給するので、入力端子数を削減することができる。
次に、本発明に係る電子機器は、上述した電気光学装置を備えたことを特徴とし、例えば、パーソナルコンピュータ、携帯電話、個人情報端末、電子スチルカメラ等が該当する。
【発明を実施するための最良の形態】
【００１５】
＜１．第１実施形態＞
図１は、本発明の第１実施形態に係る電気光学装置１の概略構成を示すブロック図である。電気光学装置１は、表示パネルＡＡと制御回路６００を備える。制御回路６００は各種の制御信号と画像信号Ｄｒ、Ｄｇ、およびＤｂを生成する。この例の画像信号Ｄｒ、Ｄｇ、およびＤｂは２値の信号である。制御信号は、共通電位ＶＣＯＭ、極性信号ＦＲおよび反転極性信号ＦＲＸを含む。共通電位ＶＣＯＭは対向電極に供給され、１フレーム周期で反転する信号である。極性信号ＦＲは共通電位ＶＣＯＭに同期した信号である。反転極性信号ＦＲは極性信号ＦＲを反転した信号である。制御信号ならび画像信号Ｄｒ、Ｄｇ、およびＤｂは、表示パネルＡＡの端部に形成された複数の入力端子を介して表示パネルＡＡに取り込まれる。
【００１６】
表示パネルＡＡは、素子基板と、対向電極が形成された対向基板と、これらの基板に挟持される液晶によって構成される。素子基板には、ＴＦＴ（Thin Film Transistor：薄膜トランジスタ）と用いて各種の回路等が形成される。より具体的には、素子基板に表示領域Ａ、走査線駆動回路１００、サンプリング回路２００Ａ、デコード回路３００Ａ、および検査回路５００が形成される。このうち、画素領域Ａには、Ｘ方向と平行にｎ組の走査線１０１および１０２が形成される。また、Ｘ方向と直交するＹ方向と平行に３ｍ本のデータ線１０３が形成される。そして、走査線１０１および１０２とデータ線１０３との各交差に対応して画素回路４００が各々設けられている。図１において、画素回路４００に示す符号［Ｒ］［Ｇ］［Ｂ］は、Ｒ色、Ｇ色、およびＢ色に対応することを示す。なお、表示領域Ａには、図示せぬ信号供給線が形成されており、これを介して極性信号ＦＲおよび反転極性信号ＦＲＢが各画素回路４００に供給される。
【００１７】
走査線駆動回路１００は、複数の走査線１０１を順次選択するための走査信号Ｖｇ１、Ｖｇ２、Ｖｇ３、…、Ｖｇｎと反転走査信号Ｖｇ１Ｘ、Ｖｇ２Ｘ、Ｖｇ３Ｘ、…、ＶｇｎＸを生成する。走査信号Ｖｇ１〜Ｖｇｎは、Ｙ転送開始パルスＳＰＹをＹクロック信号ＣＬＫＹに同期して順次転送することにより生成される。反転走査信号Ｖｇ１Ｘ、Ｖｇ２Ｘ、Ｖｇ３Ｘ、…、Ｖｇｎは、走査信号Ｖｇ１、Ｖｇ２、Ｖｇ３、…、Ｖｇｎの論理レベルを反転したものである。
走査信号Ｖｇ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｎ行目の走査線１０１の各々に走査信号Ｖｇ２、Ｖｇ３、…、Ｖｇｎとして供給する。一般的にｉ（ｉは、１≦ｉ≦ｎを満たす整数）行目の走査線１０１に供給される走査信号ＹｉがＨレベルになると、当該走査線１０１が選択される。
【００１８】
Ｒ色、Ｇ色、およびＢ色に対応する画素回路４００は、サブ画素に各々対応し、これらの組によって１画素が構成される。サンプリング回路２００Ａは、ｍ個のサンプリングユニット２０Ｕを備え、１個のサンプリングユニット２０Ｕが１画素に対応している。デコード回路３００Ａは、アドレス信号ＡＤＲをデコードしてデコード信号を生成する。この例のデコード信号は、選択信号ｄ０〜ｄｍとモード指定信号ＴＥＳＴとから構成される。選択信号ｄ１〜ｄｍは、１画素を指定する信号である。一方、検査モード信号ＴＥＳＴは検査モードと通常モードを指定する信号である。具体的には、検査モード信号ＴＥＳＴがＨレベルで通常モードを指定し、Ｌレベルで検査モードを指定する。
【００１９】
ここで、アドレス信号ＡＤＲのビット数をＮとすると、指定可能なアドレス数は２Ｎとなる。配線数および端子数を考慮すると、アドレス信号ＡＤＲのビット数はできる限り少ないことが望ましい。一般的に画素数の規格は２のべき乗を考慮したものが多いが、商品規格によってはデータ線１０３の本数や画素数は、２のべき乗と不一致となることがある。また画素数が２のべき乗であっても回路ブロック化の設定によってはアドレス指定数が２のべき乗にならないことがある。例えば240×RGB画素の場合、１ブロックを15×RGBとし、合計16ブロックとすれば、必要なアドレス指定数は15個であるがアドレス信号は4ビット分(アドレス指定可能数は16個)必要である。このため、アドレス信号ＡＤＲの指定可能なアドレスには、余剰アドレスが含まれる。本実施形態においてＮとｍには、以下の関係が成り立つ。
２Ｎ-1＜ｍ＜２Ｎ
余剰アドレス数をＫとすると、Ｋ＝２Ｎ−ｍとなる。本実施形態では、余剰アドレスを用いて、モードの指定を行う。換言すれば、アドレス信号ＡＤＲをデコードして得た複数のデコード信号の一部を用いてデータ線の選択を実行し、複数のデコード信号の他部を用いてモードの指定を行う。これにより、検査モード信号ＴＥＳＴを取り込むために専用端子を設ける必要がなくなり、端子数を削減できる。この結果、基板の機械的強度の低下を防止し、安価な実装用部品を用いることが可能となる。
【００２０】
図２に、デコード回路３００Ａの構成を示す。以下の説明では、説明を簡略化するため、表示領域Ａが２行１５列で構成されているものとする。この場合、１行が５画素で構成され、ｍ＝５となる。アドレス信号ＡＤＲは、５画素の中から１画素の選択を指定する必要があるので、３ビットのアドレス指定が必要となる。このため、アドレス信号ＡＤＲはｂｉｔ０、ｂｉｔ０Ｘ、ｂｉｔ１、ｂｉｔ１Ｘ、ｂｉｔ２、およびｂｉｔ２Ｘから構成され、ビット数Ｎは３となる。なお、ｂｉｔ０Ｘ、ｂｉｔ１Ｘ、およびｂｉｔ２Ｘは、ｂｉｔ０、ｂｉｔ１、およびｂｉｔ２を反転した信号である。この場合の余剰アドレス数Ｋは３となる。
【００２１】
デコード回路３００Ａは、３入力のNAND回路３０１〜３０５、およびNAND回路３０８を備える。NAND回路３０１〜３０５は、アドレス信号ＡＤＲの指定するアドレス値が０〜４で各々アクティブ（Ｌレベル）となる選択信号ｄ１〜ｄ５を出力する。一方、NAND回路３０８は、アドレス信号ＡＤＲの指定するアドレス値が７でアクティブ（Ｌレベル）となる検査モード信号ＴＥＳＴを出力する。例えば、NAND回路３０１は、ｂｉｔ０Ｘ、ｂｉｔ１Ｘ、およびｂｉｔ２Ｘが全て「１」の場合に選択信号ｄ０の論理レベルをＬレベルにする。即ち、アドレス信号ＡＤＲの指定するアドレス値が「０」のとき、Ｌレベルでアクティブとなる選択信号ｄ１を生成する。
【００２２】
図３にサンプルユニット２０Ｕの構成例を示す。同図に示すサンプルユニット２０Ｕは、１番目の画素に対応し選択信号ｄ１が供給される。なお、他のサンプルユニット２０Ｕも同様に構成されている。同図に示すサンプリングユニット２０Ｕは、Ｒ色に対応するサブユニット２０Ｒ、Ｇ色に対応するサブユニット２０Ｇ、およびＢ色に対応するサブユニット２０Ｂを備える。また、制御回路６００から、画像信号供給線Ｌｒ、Ｌｇ、およびＬｂを介して画像信号Ｄｒ、Ｄｇ、Ｄｂが供給される。サブユニット２０Ｒは、トランスファゲート２２０を備え、選択信号ｄ１がアクティブになると画像信号供給線Ｌｒを介して供給される画像信号Ｄｒをラッチ回路に取り込む。ラッチ回路は、クロックドインバータ２３１およびインバータ２３２によって構成される。即ち、選択信号ｄ１がアクティブになると、画像信号Ｄｒがサンプリングされる。そして、サンプリングされた画像信号Ｄｒは、インバータ２６０を介して、データ線信号Ｘ１ｒとしてデータ線１０３に供給される。上述したように画像信号Ｄｒは２値信号であり、データ線信号Ｘ１ｒも２値信号となる。なお、サブユニット２０Ｇおよびサブユニット２０Ｂは、サブユニット２０Ｒと同様に構成されている。
【００２３】
図４に画素回路４００の構成を示す。図４に示す画素回路４００は、１行１列目の画素回路４００である。トランスファゲート４０１は、走査線１０１および１０２を介して供給される走査信号Ｖｇ１および反転走査信号Ｖｇ２がアクティブになると、データ線１０３を介して供給されるデータ線信号Ｘ１ｒを取り込む。インバータ４０２および４０３は記憶回路として動作し、データ線信号Ｘ１ｒの論理レベルを記憶する。さらに、画素回路４００は、トランスファゲート４０４および４０５と画素電極４０６を備える。画素電極４０６は、対向基板の対向電極と対向する。対向電極には、共通電位ＶＣＯＭが供給される。従って、液晶には、画素電極４０６の電位と共通電位ＶＣＯＭの電位差に応じた電圧が印加される。共通電位ＶＣＯＭはフレーム周期で極性が反転する。即ち、あるフレームで共通電位ＶＣＯＭが高電位となれば、次のフレームで共通電位ＶＣＯＭは低電位となる。
【００２４】
トランスファゲート４０４は、接続点Ｐ１の論理レベルがＨレベルのときオン状態となり、接続点Ｐ１の論理レベルがＬレベルのときオフ状態となる。一方、トランスファゲート４０５は、接続点Ｐ１の論理レベルがＬレベルのときオン状態となり、接続点Ｐ１の論理レベルがＨレベルのときオフ状態となる。Ｈレベルのデータ線信号Ｘ１ｒが取り込まれると、反転極性信号ＦＲＸが画素電極４０６に印加され、Ｌレベルのデータ線信号Ｘ１ｒが取り込まれると、極性信号ＦＲが画素電極４０６に印加される。極性信号ＦＲと共通電位ＶＣＯＭは同一極性であり、反転極性信号ＦＲＸと共通電位ＶＣＯＭは逆極性となる。従って、データ線信号Ｘ１ｒの論理レベルがＨレベルであれば、画素電極４０６には共通電位ＶＣＯＭとは逆極性の反転極性信号ＦＲＸの電位が印加され、その結果画素の液晶層に電圧が印加される。一方、データ線信号Ｘ１ｒの論理レベルがＬレベルであれば、画素電極４０６には共通電位ＶＣＯＭと同極性の極性信号ＦＲの電位が印加され、その結果画素の液晶層に電圧が印加されない。本実施形態において、液晶層はノーマリーホワイト表示を採用する。このため、データ線信号Ｘ１ｒがＨレベルであれば「黒」表示となり、データ線信号Ｘ１ｒがＬレベルであれば「白」表示となる。
【００２５】
この画素回路４００によれば、書き込まれた論理レベルを記憶回路によって保持し続けることができる。よって静止画を表示する際にはサンプリング回路２００Ａの動作を停止させてその消費電力を削減することができる。ただし、液晶層に同一極性の電圧を印加し続けると、特性劣化を引き起こすので、液晶層の電圧極性を反転する必要がある。そのために共通電位ＶＣＯＭ、極性信号ＦＲ、および反転極性信号ＦＲＸはその電位をフレーム毎に反転している。
【００２６】
図５に検査回路５００の構成を示す。この図に示すように検査回路５００は、１組の走査線１０２および１０３に対応してトランスファゲート５２０および５３０を備える。モード指定信号ＴＥＳＴは、Ｌレベルでアクティブとなり、各トランスファゲート５３０の反転制御端子に供給される。また、各トランスファゲート５２０の正転制御端子にはインバータ５１０を介してモード指定信号ＴＥＳＴが供給される。従って、モード指定信号ＴＥＳＴがＬレベルになると、トランスファゲート５２０および５３０がオン状態となり、走査信号Ｖｇ１〜Ｖｇｎが第１出力検査信号Ｔｏｕｔ１として出力され、反転走査信号Ｖｇ１Ｘ〜ＶｇｎＸが第２出力検査信号Ｔｏｕｔ２として出力される。上述したようにモードの指定は、アドレス信号ＡＤＲによって実行されるので、専用端子を用いてモード指定信号ＴＥＳＴを供給しなくてもよい。
【００２７】
図６は電気光学装置の動作を説明するためのタイミングチャートである。この例では、２行１５列（５画素）の表示領域Ａを想定し、図７に示すように１行目に黒（斜線部分）を表示させ、２行目に白を表示させる場合を想定する。また、図６に示す前半の書き込みフレームでは、画像信号Ｄｒ、Ｄｇ、およびＤｂを画素回路４００に書き込み、後半の保持フレームでは、書き込み動作を行わない。即ち、保持フレームでは、画像に変化がなかったものとする。この例の表示領域Ａは２行で構成されるため、１フレーム期間は２水平期間で構成されるが、本発明はこれに限定されるものではなく、多数の水平期間から構成されてもよい。
【００２８】
アドレス信号ＡＤＲは１水平期間でアドレス値を０〜４まで変化させる。これにより、５個の画素を指定することができる。書き込みフレームの前半の１水平期間においては、画像信号Ｄｒ、Ｄｇ、ＤｂはＨレベルとなっているので、反転極性信号ＦＲＸが選択され、１行目１列目の画素回路４００の画素電極４０６には低電位が印加される。一方、共通電位ＶＣＯＭは高電位であるから、液晶の印加電圧ＶＬ（１、１）は画素電極４０６の電位を基準としたとき負電圧−ΔＶとなる。上述したように本実施形態の液晶はノーマリーホワイト表示であるから、電圧が印加されることによって黒表示となる。そして、保持フレームにおいて共通電極電位ＶＣＯＭが反転すると、極性反転信号ＦＲＸも反転するので、当該フレームにおいても黒が表示されることになる。
この実施形態では検査モードをひとつだけ指定しているが、データ線１０３の断線検査、走査線駆動回路１００の動作検査、走査線１０１および１０２の断線検査等の複数種類の検査モードがあるのならば、それぞれを可能な限り余剰アドレスを割り振って検査モード指定用の端子を削減してもよい。
【００２９】
＜２．第２実施形態＞
図８には、第２実施形態に係る電気光学装置１の全体構成を示す。第２実施形態に係る電気光学装置１は、デコード回路３００Ａの替わりにデコード回路３００Ｂを用いる点、およびサンプリング回路２００Ａの替わりにサンプリング回路２００Ｂを用いる点を除いて、図１に示す第１実施形態の電気光学装置１と同様に構成されている。
表示体では単色背景中の文字あるいは単色背景中の簡単なグラフィカル表示を行っていることがある。そのような場合、行方向に全て同じ表示となることが多い。つまり、1走査線上全て「白」、または「黒」などの状態があるということである。第１実施形態の電気光学装置１では、各画素回路４００に白を書きこもうとすると、アドレス信号ＡＤＲを用いて全アドレスを順次指定して、白を書き込む動作をしなければならない。第２実施形態に係る電気光学装置１は、そのような場合に、アドレスを順次指定することなく、強制的に、選択中の走査線１０１および１０２上の全画素回路４００に「白」または「黒」に相当するデータを強制的に書き込む手段を備える。
【００３０】
このような強制的な書き込みを行う駆動状態を総称して特殊モードという。また、「白」を書き込む場合を第１特殊モード、「黒」を書き込む場合を第２特殊モードと称する。第１・第２特殊モードの指定には、アドレス信号ＡＤＲの余剰ビットを用いる。
図９に、デコーダ回路３００Ｂの構成を示す。以下の説明では、２行１５列（５画素）の表示領域Ａを想定し、アドレス信号ＡＤＲの指示するアドレス値「５」のとき第１特殊モードが指定され、アドレス値「６」のとき第２特殊モードが指定されるものとする。デコーダ回路３００Ｂは、NAND回路３０６および３０７、ならびにインバータ３１０および３１１を備える点で第１実施形態のデコード回路３００Ａと相違する。NAND回路３０６には、ｂｉｔ２、ｂｉｔ１Ｘ、およびｂｉｔ０が供給されるので、アドレス値「５」のときアクティブとなる。インバータ３１０は、NAND回路３０６の出力信号を反転し、第１特殊モード信号Ｃ１として出力する。NAND回路３０７には、ｂｉｔ２、ｂｉｔ１、およびｂｉｔＸが供給されるので、アドレス値「６」のときアクティブとなる。インバータ３１１はNAND回路３０７の出力信号を反転し、第２特殊モード信号Ｃ２として出力する。
【００３１】
図１０に、サンプリング回路２００Ｂに用いられるサンプリングユニット２０Ｕの構成を示す。同図に示すサブユニット２０Ｒ’が、図３に示すサブユニット２０Ｒと相違するのは、インバータ２３１および２３２で構成されるラッチ回路とインバータ２６０との間にNOR回路２４０および２５０が設けられている点である。通常モードにおいては、第１・第２特殊モード信号Ｃ１およびＣ２の論理レベルはＬレベルとなる。この場合、NOR回路２４０および２５０はインバータとして機能する。従って、通常モードにおける動作は上述した実施形態と同様である。換言すれば、余剰アドレスの指定がされなければ、ラッチ回路の出力に何の操作も加えられない。
【００３２】
一方、第１特殊モード信号Ｃ１がアクティブになると、NOR回路２５０の一方の入力が強制的にＨレベルとなる。従って、データ線信号Ｘ１ｒの論理レベルが強制的にＨレベルとなる。この場合、画素回路４００では、トランスファゲート４０４がオン状態となり、反転極性信号ＦＲＸが画素電極４０６に供給される。この結果、黒表示となる。
また、第２特殊モード信号Ｃ２がアクティブになると、NOR回路２４０の一方の入力が強制的にＨレベルとなる。従って、データ線信号Ｘ１ｒの論理レベルが強制的にＬレベルとなる。この場合、画素回路４００では、トランスファゲート４０５がオン状態となり、極性信号ＦＲが画素電極４０６に供給される。この結果、白表示となる。
【００３３】
上述した第１特殊モード信号Ｃ１および第２特殊モード信号Ｃ２は、全てのサンプリングユニット２０Ｕを構成するサブユニット２０Ｒ’、２０Ｇ’、および２０Ｂ’に供給されるので、ある行全体を黒または白に表示させることができる。
図１１に、２行１５列（５画素）の表示領域Ａを想定し、１行目に黒を表示させ、２行目に白を表示させる場合のタイミングチャートを示す。この場合、アドレス信号ＡＤＲは書き込みフレームの前半の１水平期間において、ｂｉｔ０＝１、ｂｉｔ１＝０、およびｂｉｔ２＝１となり、第１特殊モードを指定するアドレス値「５」となる。また、書き込みフレームの後半の１水平期間において、ｂｉｔ０＝０、ｂｉｔ１＝１、およびｂｉｔ２＝１となり、第１特殊モードを指定するアドレス値「６」となる。従って、通常モードのように１水平期間においてアドレス値を「０」から「４」まで変化させる必要がない。
【００３４】
アドレス信号ＡＤＲは、図９に示すようにアドレス信号供給線Ｌａ１〜Ｌａ６を介してデコード回路３００Ｂに供給される。アドレス信号供給線Ｌａ１〜Ｌａ６には、浮遊容量が付随するため、これらは容量性の負荷として作用する。アドレス信号ＡＤＲの供給回路は、その論理レベルが変化すると、浮遊容量に対して電荷の充放電を行う必要がある。このため、通常モードのように１水平期間でアドレス値を最小から最大まで変化させると、消費電力が大きくなる。これに対して、第１特殊モードおよび第２特殊モードを採用すると、１水平期間中のアドレス値を固定にできるので、消費電力を大幅に削減することが可能となる。
【００３５】
＜３．第３実施形態＞
第２実施形態においては、１行単位で「黒」または「白」を表示する特殊モードを採用したが、第３実施形態に係る電気光学装置１は、色の系列ごとに点灯・消灯を制御するものである。
第３実施形態のアドレス信号ＡＤＲは、画素の選択の他にＲ色の点灯・消灯、Ｇ色の点灯・消灯、Ｂ色の点灯・消灯を指定する。デコード回路は、アドレス信号をデコードして、Ｒ色の点灯を指示する制御信号Ｃ１ｒ、Ｒ色の消灯を指示する制御信号Ｃ２ｒ、Ｇ色の点灯を指示する制御信号Ｃ１ｇ、Ｇ色の消灯を指示する制御信号Ｃ２ｇ、Ｂ色の点灯を指示する制御信号Ｃ１ｂ、およびＢ色の消灯を指示する制御信号Ｃ２ｂを生成する。
【００３６】
図１２に第３実施形態に係るサンプリング回路２００Ｃの構成を示す。この図に示すようにＲ色に対応するサブユニット２０Ｒ’には、第１・第２特殊モード信号Ｃ１およびＣ２の替わりに、制御信号Ｃ１ｒおよびＣ２ｒが供給される。また、Ｇ色に対応するサブユニット２０Ｇ’には、第１・第２特殊モード信号Ｃ１およびＣ２の替わりに、制御信号Ｃ１ｇおよびＣ２ｇが供給される。さらに、Ｂ色に対応するサブユニット２０Ｂ’には、第１・第２特殊モード信号Ｃ１およびＣ２の替わりに、制御信号Ｃ１ｂおよびＣ２ｂが供給される。
これにより、各行において色の系列ごとに点灯・消灯を制御することができるので、より多くの背景色の対応できるようになる。
【００３７】
なお、上述した各実施形態においては、電気光学装置の一例として、液晶表示装置を取上げて説明したが、本発明はこれに限定されるものではなく、電気的な作用により光学特性が変化する電気光学素子を用いた装置であれば、いかなるものにも適用することができる。そのような電気光学素子としては、有機エレクトロルミネッセンス素子や発光ポリマー素子などと呼ばれる有機発光ダイオード（Organic  Light  Emitting  Diode）素子が含まれる。有機発光ダイオード素子は、低分子、高分子もしくはデンドリマー等の発光有機材料を用いる。さらに、電気光学素子には、無機ＥＬ素子や、フィールド・エミッション（ＦＥ）素子、表面伝導型エミッション（ＳＥ）素子、弾道電子放出（ＢＳ）素子、ＬＥＤなどの他の自発光素子、さらには、電気泳動素子、エレクトロ・クロミック素子などを用いても良い。また、光書きこみ型のプリンタや電子複写機等に用いる書き込みヘッド等の電気光学装置にも上記各実施形態と同様に本発明が適用され得る。
【００３８】
＜４．応用例＞
次に、上述した実施形態及び変形例に係る電気光学装置１を適用した電子機器について説明する。図１３に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。
【００３９】
図１４に、電気光学装置１を適用した携帯電話機の構成を示す。携帯電話機３０００は、複数の操作ボタン３００１およびスクロールボタン３００２、並びに表示ユニットとしての電気光学装置１を備える。スクロールボタン３００２を操作することによって、電気光学装置１に表示される画面がスクロールされる。
【００４０】
図１５に、電気光学装置１を適用した情報携帯端末（ＰＤＡ：Personal Digital Assistants）の構成を示す。情報携帯端末４０００は、複数の操作ボタン４００１および電源スイッチ４００２、ならびに表示ユニットとしての電気光学装置１を備える。電源スイッチ４００２を操作すると、住所録やスケジュール帳といった各種の情報が電気光学装置１に表示される。
【００４１】
なお、電気光学装置１が適用される電子機器としては、図１３〜１５に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置が適用可能である。
【図面の簡単な説明】
【００４２】
【図１】本発明の第１実施形態に係る電気光学装置の構成を示すブロック図である。
【図２】同装置におけるデコード回路３００Ａの構成を示す回路図である。
【図３】同装置におけるサンプリングユニットの構成を示すブロック図である。
【図４】同装置における画素回路４００の構成を示す回路図である。
【図５】同装置における検査回路５００の構成を示す回路図である。
【図６】同装置の動作を説明するためのタイミングチャートである。
【図７】２行１５列の表示領域Ａの表示パターンの一例を説明するための説明図である。
【図８】第２実施形態に係る電気光学装置の構成を示すブロック図である。
【図９】同装置におけるデコード回路３００Ａの構成を示す回路図である。
【図１０】同装置におけるサンプリングユニットの構成を示すブロック図である。
【図１１】同装置の動作を説明するためのタイミングチャートである。
【図１２】第３実施形態に係る電気光学装置におけるサンプリングユニットの構成を示すブロック図である。
【図１３】同装置を適用したモバイル型のパーソナルコンピュータの構成を示す斜視図である。
【図１４】同電気光学装置を適用した携帯電話機の構成を示す斜視図である。
【図１５】同電気光学装置を適用した携帯情報端末の構成を示す斜視図である。
【符号の説明】
【００４３】
１…電気光学装置、１０１，１０２…走査線、１０３…データ線、２００Ａ〜２００Ｃ…サンプリング回路（データ線駆動手段）、３００Ａ，３００Ｂ…デコード回路、４００…画素回路、５００…検査回路、ＡＤＲ…アドレス信号、Ｘ１ｒ〜Ｘｍｒ，Ｘ１ｇ〜Ｘｍｇ，Ｘ１ｂ〜Ｘｍｂ…データ線信号（画像信号）、Ｌａ１〜Ｌａ６…アドレス信号供給線。
【図１】
2006039452.tif 000003
【図２】
2006039452.tif 000004
【図３】
2006039452.tif 000005
【図４】
2006039452.tif 000006
【図５】
2006039452.tif 000007
【図６】
2006039452.tif 000008
【図７】
2006039452.tif 000009
【図８】
2006039452.tif 000010
【図９】
2006039452.tif 000011
【図１０】
2006039452.tif 000012
【図１１】
2006039452.tif 000013
【図１２】
2006039452.tif 000014
【図１３】
2006039452.tif 000015
【図１４】
2006039452.tif 000016
【図１５】
2006039452.tif 000017